【事件の表示】
　特願２０１７−　　９８４１「野菜・果実の水耕栽培装置」拒絶査定不服審判事件〔平成３０年　８月　９日出願公開、特開２０１８−１２１５２７〕について、次のとおり審決する。
【結　論】
　本件審判の請求は、成り立たない。
【理　由】
第１　手続の経緯
　本願は、平成２９年１月２３日に出願された特願２０１７−９８４１号であり、その手続の経緯は、概略、以下のとおりである。
　平成２９年１１月２８日：拒絶理由通知（１１月３０日発送）
　平成３０年　１月２６日：意見書、手続補正書
　平成３０年　３月２７日：拒絶査定（４月２日送達）
　平成３０年　６月２８日：審判請求書、手続補正書
　平成３１年　２月２０日：拒絶理由通知（２月２１日発送）
　平成３１年　４月１８日：意見書、手続補正書
第２　本願発明
　本願の請求項１ないし６に係る発明は、平成３１年４月１８日付け手続補正書により補正された特許請求の範囲の請求項１ないし６に記載された事項により特定されるところ、その請求項１に係る発明（以下「本願発明」という。）は、次のとおりのものである。
「植物栽培用ハウス内に設置した野菜・果実の水耕栽培装置であって、直径が１０ｃｍ以上の樹脂パイプないし金属パイプからなる複数の循環パイプを連結して形成された養液の循環路と、別途設置された養液貯留槽と、この養液貯留槽と前記循環パイプとの間に配設され、前記養液貯留槽から前記循環パイプに養液を送り込む給液管とを備え、
前記循環パイプの周囲は断熱層で被覆するとともに、該周囲を断熱層で被覆した循環パイプからなる積層構造物の上部に適宜間隔で循環パイプ内部に通ずる植付け用の孔を開けて野菜あるいは果実の苗を植え付けるようにした野菜・果実の水耕栽培装置において、前記植物栽培用ハウスは、前記ハウス内に設置したラジエータ内を地下水ないし水道水の１３℃前後の水を循環させるとともに、ラジエータ近傍に配設したファンでラジエータの温度を吸い出すことにより室内温度を調整するようにしたことを特徴とする野菜・果実の水耕栽培装置。」
第３　拒絶の理由
　平成３１年２月２０日付けで当審が通知した拒絶理由のうちの理由２は、概略、次のとおりのものである。
（進歩性）本件出願の請求項１〜６に係る発明は、その出願前日本国内または外国において頒布された下記の引用文献１〜６（請求項１については、１〜４。）に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　引用文献１：特開２０１０−３５５４０号公報
　引用文献２：特開昭６１−１３２１２３号公報
　引用文献３：実願平４−７５０８号（実開平６−１０７２２号）
　　　　　　　のＣＤ−ＲＯＭ
　引用文献４：特開昭５７−１７０１１６号公報
　引用文献５：国際公開第２０１６／０９８４１４号
　引用文献６：特開２０１４−３３６２１号公報
第４　引用文献の記載及び引用発明
１　引用文献１
　引用文献１には、以下の事項が記載されている。（下線は、審決で付した。以下同様。）
（１）「【技術分野】
【０００１】
　本発明は、
水槽から水をくみ上げ上部パイプから流し、水を循環させながら、
流水式の水耕栽培ができる流水式水耕栽培機
（２）「【０００６】
　以下、本発明の実施の形態について説明する。
（イ）
三角形状の取付台（１）の周囲に階段状に育成パイプ（２）を設け
（ロ）
育成パイプ（２）の上部に吸水口（３）を、下部に排水口（４）を設け
（ロ）
育成パイプ（２）に水高安定弁（５）を設け、育成パイプ（２）に整列状態に複数個の育成ポット差込口（６）を設け
　　　育成ポット（２）に常に水に浸かる様、水高安定弁をパイプ内部に装着する。
（ハ）
取付台（１）の下部に水槽（７）を設け
（ニ）
水槽（７）に給水管（８）を設け、給水管（８）に育成パイプ（２）を取り付け
（ホ）
水槽（７）にポンプ（１１）を取り付け
（ヘ）
育成ポット差込口（４）に育成ポット（９）を取り付け、固定材（１０）を入れ
　　　育成ポット（９）は、差し込み式で、常に掃除が可能である。
（ト）モーターポンプ（１１）を運転させるための、電源（１２）は、太陽光パネル電池、または１２ボルトバッテリーを使う。
　本発明は、以上の構成よりなっている。
　本発明を使用するときは、育成ポット差込口（５）に育成ポット（９）を取り付け、固定材（１０）を入れる。
　
育成ポット内の固定材（保水効果がある海面を使用）に種および苗をはさみ固定する
　水高安定弁から流水する際、落ちる勢いで空気と混じり自動的に水槽内に酸素が取り込まれる。
　モーターポンプ（１１）を運転させるための、電源（１２）は、太陽光パネル電池、または１２ボルトバッテリーを使う。
　育成ライトを使えば、太陽が当たらない室内にて栽培が可能である。
　電源（１２）は、家庭用の電源が使える。
　高温の地域、高温の季節のときでも、水槽の水が高温にならないように、水冷機を取り付ければ使える。
　低温の地域、低温の季節のときでも、水槽の水が低温にならないように、加温機を取り付ければ使える。また、低温の地域、低温の季節のときでも、
専用ビニールで覆い、ビニール温室のような形で使うことができる
（３）【図３】及び【図４】を参照すると、水槽（７）から育成パイプ（２）の上端に繋がるパイプが設けられており、該パイプの水の流れは、水槽（７）から育成パイプ（２）方向である矢印が示されており、該パイプの直径は、育成パイプ（２）の直径より小さいことが看取できる。
　そして、該パイプは、水槽（７）から育成パイプ（２）方向に水が流れていることから、給水管（８）といえる。
（４）上記（１）ないし（３）からみて、引用文献１には、次の発明（以下「引用発明１」という。）が記載されているものと認める。
「三角形状の取付台（１）の周囲に階段状に育成パイプ（２）を設け、
育成パイプ（２）の上部に吸水口（３）を、下部に排水口（４）を設け、
育成パイプ（２）に水高安定弁（５）を設け、育成パイプ（２）に整列状態に複数個の育成ポット差込口（６）を設け、
取付台（１）の下部に水槽（７）を設け、
水槽（７）には育成パイプ（２）より小径な給水管（８）を設け、給水管（８）に育成パイプ（２）を取り付け、
水槽（７）にポンプ（１１）を取り付け、
育成ポット差込口（４）に育成ポット（９）を取り付け、固定材（１０）を入れ、
育成ポット内の固定材（保水効果がある海面を使用）に種および苗をはさみ固定することにより、
水槽から水をくみ上げ上部パイプから流し、水を循環させながら、流水式の水耕栽培ができ、専用ビニールで覆い、ビニール温室のような形で使うことができる、流水式水耕栽培機。」
２　引用文献２
　引用文献２には、以下の事項が記載されている。
（１）「９　わさび栽培は外気と遮断したハウス内で行なうようにした特許請求の範囲第１項および第７項のいずれかに記載のわさびの栽培方法。」（２頁左上欄１２〜末行）
（２）「第１図は本発明の一実施例を示す栽培装置の全体図であり、第２図は培養ユニットの拡大断面図を示す。図に於いて
Ａ
複数のパイプ１からなる培養ユニット
Ｂ
培養ユニットＡを連結する単一のパイプ１からなる培養ユニット
培養ユニットＡおよびＢはプラスチックより成るパイプ１をエルボやソケット２で連結したものであり、各パイプ１上面には所定間隔をおいて一体に培養筒３を突設してパイプ１内と連通し
各パイプ１の表面には断熱材４を被覆すると共に、培養筒３に通気孔５が開けてあ
上記パイプ１内はその上部に空気層が存在するように一定水量の培養水６が流動するもので、パイプ１内にバッフル板７を嵌め込んで所定水量を得て
　培養ユニットＡ、Ｂの
各培養筒３内には筒状の培養ネット８に根茎９を入れたわさび１０が収容されて培養され
培養ネット８に直接根茎９を入れ
根茎９の下部が培養水６の流れに触れるようにし
　
１２
最終の培養ユニットＡからの培養水６の排水を
貯溜するチェック槽
チェック槽１２に
排水管１８
接続され
排水管１８に吸引ポンプ１９
水温を所定水温に保つ熱交換器２２
接続され
ここから出た排水は再び培養水６として供給管２３から培養ユニットＡへ還流される
培養水
水温は１２℃±１℃に設定し
本装置を設置したハウス
（３）「さらに培養ユニットＡ、Ｂのパイプ１には断熱材４を被覆したので、水温の変動がほとんど生じることもない。」（５頁左上欄２〜３行）
（４）第１図を参照すると、供給管２３と培養ユニットＡとの間に、バルブが設けられていることが看取できる。
（５）上記（１）ないし（４）からみて、引用文献２には、次の発明（以下「引用発明２」という。）が記載されているものと認める。
「複数のプラスチックより成るパイプ１からなる培養ユニットＡ、及び培養ユニットＡを連結する単一のパイプ１からなる培養ユニットＢと、
　最終の培養ユニットＡからの培養水６の排水を貯留するチェック槽１２と、
　チェック槽１２に接続された配水管１８と、
　配水管１８に接続された吸引ポンプ１９及び水温を所定水温に保つ熱交換器２２と、
　熱交換器から出た排水を再び培養水６として培養ユニットＡへ還流させる供給管２３と、を備え、
　培養ユニットＡ、Ｂはプラスチックより成るパイプ１をエルボやソケット２で連結したものであり、
　各パイプ１上面には所定間隔をおいて一体に培養筒３を突設してパイプ１内と連通し、
　各パイプ１の表面には断熱材４を被覆すると共に、培養筒３に通気孔５が開けてあって、上記パイプ１内はその上部に空気層が存在するように一定水量の培養水６が流動するもので、パイプ１内にバッフル板７を嵌め込んで所定水量を得ており、
　培養ユニットＡと供給管２３の間には、バルブが設けられており、
　培養水６の水温は１２℃±１℃に設定し、
　各培養筒３内には筒状の培養ネット８に根茎９を入れたわさび１０が収容されて培養されるところ、培養ネット８に直接根茎９を入れて、根茎９の下部が培養水６の流れに触れるようにした、
　ハウス内に設置される、栽培装置。」
３　引用文献３
　引用文献３には、以下の事項が記載されている。
（１）「【０００６】
　　【実施例】
　以下本考案の実施例を図面に基いて説明する。図面において、図１は本考案の実施例を示す略画した側面図、図２はその要部拡大側断面図である。図１において、１０は温室であり、天井部および側部をガラスあるいはビニールシート等の透明資材により形成してなり、該温室１０内に冷却装置１１を設置する。この冷却装置１１は図２に示すようになっている。即ち、直方体状に形成されたケーシング１２の前部壁１２ａおよび後部壁１２ｂに吐出孔１３および吸入孔１４を形成し、上記
ケーシング１２内の前部と後部とにファン１５とラジエータ１７とを収容する
（２）「【０００９】
　次に上記実施例の作動態様について説明する。
ラジエータ１７の水管１８に水道水を流通させる
ケーシング１２内の空気が吐出孔１３から温室１０内に吐出され、負圧になったケーシング１２内に温室１０内の空気がケーシング１２後部の吸入孔１４から吸入されてラジエータ１７を流通し、この部で熱交換されて冷却および除湿された後、上記ファン１５によって吐出孔１３から温室１０内に吐出される
４　引用文献４
　引用文献４には、以下の事項が記載されている。
（１）「本発明においては、前記した夏期栽培に関連して、かかる
熱交換機を用い地下水を効率良く温室冷房のために利用する
　第２図は、本発明の方法と装置を断面で示す図である。第１の循環ポンプＰ１で井戸１１から水を汲上げそれを配管Ｃを通して熱交換機Ａに送る。熱交換機Ａは、冷房すべき温室Ｂの空気を矢印Ｉで示す如く取入れ、空気排出口２から矢印ＩＩで示す如くに排出する。」（２頁左上欄１８行〜右上欄７行）
（２）「地下水は一般に夏期においては１７℃から１８℃の温度であるので、この対向流の間に空気はほぼ十分に冷却除湿されて空気排出口１２から温室Ｄ内に放出され、温室を冷房する。温室Ｄはかくして、この第１段階の冷熱熱交換によって冷房される。この段階で、地下水は温室内では顕熱として冷却源となる。」（２頁右上欄１７行〜左下欄３行）
５　引用文献５
　引用文献５には、以下の事項が記載されている。
（１）「［００７１］　栽培液Ｒの供給経路を構成する部材は、保温性の部材で構成することが好ましい。具体的には、培地部２、
栽培液槽８
断熱シートで包むことにより断熱する
（２）「［０１３６］
　上記実施形態では、
温度調節機構としてヒーターを用い栽培液を加熱する
温度調節機構としてヒーター以外のものを用いてもよい
例えば温度調節機構として熱交換器を用いる
６　引用文献６
　引用文献６には、以下の事項が記載されている。
「【請求項１】
　植物体の栽培を行うための水耕栽培用プレートであって、
　該水耕栽培用プレートは、
　前記植物体が植栽されるキャリアを嵌合支持するためキャリア配設孔を少なくとも１個有するキャリア支持体と、
　該キャリア支持体の上面を被覆して、前記キャリア配設孔の上面を被覆するよう覆設される遮光材料で構成された表面被覆材と、を少なくとも備えて構成されており、
　前記表面被覆材を前記キャリア支持体に覆設した際、前記表面被覆材において前記キャリア配設孔の直上に位置する部位には、
第１スリットが切り込み形成されている
第５　当審の判断
１　引用発明１を主引用発明として検討
（１）対比
　本願発明と引用発明１とを対比する。 
　引用発明１の「専用ビニールで覆」う「ビニール温室」、「流水式水耕栽培機」、「水」、「水槽（７）」、「給水管（８）」、「育成ポット差込口（６）」は、その構成及び機能等からみて、本願発明の「植物栽培用ハウス」、「野菜・果実の水耕栽培装置」、「養液」、「養液貯留槽」、「給液管」、「植付け用の孔」にそれぞれ相当する。 
　また、引用発明１の「育成パイプ（２）」は、本願発明の「循環パイプ」と「循環路」に相当する。 
　引用発明１の「専用ビニールで覆い、ビニール温室のような形で使うことができる、流水式水耕栽培機」は、本願発明の「植物栽培用ハウス内に設置した野菜・果実の水耕栽培装置」に相当する。
　引用発明１の「水槽から水をくみ上げ上部パイプから流し、水を循環させ」る、「三角形状の取付台（１）の周囲に階段状に」「設け」た「育成パイプ（２）」は、本願発明の「複数の循環パイプを連結して形成された養液の循環路」に相当する。
　引用発明１の「水槽（７）に」「設け、」「育成パイプ（２）」に「取り付け」、「水槽から水をくみ上げ上部パイプから流」す、「育成パイプ（２）より小径な給水管（８）」は、本願発明の「養液貯留槽と前記循環パイプとの間に配設され、前記養液貯留槽から前記循環パイプに養液を送り込む給液管」に相当する。
　引用発明１の「流水式水耕栽培機」において、「種及び苗」は、「野菜あるいは果実の種及び苗」であることは自明であるから、引用発明１の「育成パイプ（２）に整列状態に複数個の育成ポット差込口（６）を設け、」「育成ポット差込口（４）に育成ポット（９）を取り付け、固定材（１０）を入れ、育成ポット内の固定材（保水効果がある海面を使用）に種および苗をはさみ固定すること」と、本願発明の「前記循環パイプの周囲は断熱層で被覆するとともに、該周囲を断熱層で被覆した循環パイプからなる積層構造物の上部に適宜間隔で循環パイプ内部に通ずる植付け用の孔を開けて野菜あるいは果実の苗を植え付けるようにした」こととは、「循環パイプの上部に適宜間隔で循環パイプ内部に通ずる植付け用の孔を開けて野菜あるいは果実の苗を植え付けるようにした」ことで共通する。
　引用発明１の「水槽（７）」は、「育成パイプ（２）」とは別途設置されていることは明らかである。
　よって、本願発明と引用発明１とは、
「植物栽培用ハウス内に設置した野菜・果実の水耕栽培装置であって、複数の循環パイプを連結して形成された養液の循環路と、別途設置された養液貯留槽と、この養液貯留槽と前記循環パイプとの間に配設され、前記養液貯留槽から前記循環パイプに養液を送り込む給液管とを備え、
　循環パイプの上部に適宜間隔で循環パイプ内部に通ずる植付け用の孔を開けて野菜あるいは果実の苗を植え付けるようにした野菜・果実の水耕栽培装置。」で一致するものの、以下の３点で相違する。 
〔相違点１〕本願発明の「循環パイプ」は、「直径が１０ｃｍ以上の樹脂パイプないし金属パイプからなる」のに対し、引用発明１の「育成パイプ（２）」は、そのような特定がない点。 
〔相違点２〕本願発明は、循環パイプの周囲を断熱材で被覆するとともに、該周囲を断熱層で被覆した循環パイプからなる積層構造物の上部に適宜間隔で循環パイプ内部に通ずる植付け用の孔を開けたのに対し、引用発明１は、育成パイプ（２）の周囲を断熱材で被覆したとの特定がなく、「育成ポット差込口（６）」も、該周囲を断熱層で被覆した循環パイプからなる積層構造物の上部に開けたものでもない点。 
〔相違点３〕本願発明は、「前記ハウス内に設置したラジエータ内を地下水ないし水道水の１３℃前後の水を循環させるとともに、ラジエータ近傍に配設したファンでラジエータの温度を吸い出すことにより室内温度を調整するようにした」のに対し、引用発明１は、そのような特定がない点。 
  
（２）判断 
　上記相違点１ないし３について検討する。 
　ア　相違点１ 
　農業用のパイプとして、樹脂製や金属製のものは、一般的に用いられているものであって、またパイプの直径は、栽培する植物の大きさ等を勘案して適宜選択し得る設計上の事項に過ぎないから、引用発明１の育成パイプ（２）を、直径が１０ｃｍ以上の樹脂製ないし金属製とすることは、当業者が適宜なし得たことである。 
　イ　相違点２ 
　本願発明は、循環パイプの周囲を断熱材で被覆することによって、「前記循環パイプ１３の周囲を発泡スチロールやポリエチレン発泡体、ポリウレタン等からなる断熱層１３ａで被覆してあり、したがって管内の温度が安定すると同時に、養液温度を定温にすることができる。」（本願明細書の段落【００２０】）との作用効果を奏するものであるところ、引用文献１に、「高温の地域、高温の季節のときでも、水槽の水が高温にならないように、水冷機を取り付ければ使える。低温の地域、低温の季節のときでも、水槽の水が低温にならないように、加温機を取り付ければ使える。」（上記「第４　１（２）」）と記載されているように、引用発明１は水の温度を適温に維持することが課題と認識されており、そして、パイプの周囲を断熱材で被覆することにより、「さらに培養ユニットＡ、Ｂのパイプ１には断熱材４を被覆したので、水温の変動がほとんど生じることもない。」（上記「第４　２（３）」）ものとすることは、引用文献２に記載されているように、本願出願前に周知の技術であるから、引用発明１の育成パイプ（２）の周囲を断熱材で被覆することは、当業者が適宜なし得る事項に過ぎず、そして、該断熱材の被覆によって、育成パイプ（２）は、積層構造体となって、育成ポット差込口（６）は、本願発明と同様に、積層構造物の上部に開けたものとなる。
　したがって、引用発明１と上記周知技術に基いて、相違点２に係る本願発明の構成とすることは、当業者が容易になし得たことである。
　ウ　相違点３ 
　引用文献３に記載されているように、温室内の空気を冷却するために、ケーシングの前部と後部にファンとラジエータを収容した冷却装置を設け、ラジエータを流通して冷却された空気をファンで吐出すること、つまり相違点３における「前記ハウス内に設置したラジエータ内を水を循環させるとともに、ラジエータ近傍に配設したファンでラジエータの温度を吸い出すことにより室内温度を調整するようにした」ことは、本願出願前に周知又は公知の技術であって、また、温室内の空気を冷却する際に、引用文献３には、水道水を用いること、引用文献４には、地下水を用いることがそれぞれ記載されている。 
　そして、栽培する植物に適する温度を考慮して、温室内の室温を適温に維持することは、温室設置者が常に配慮すべき事項であるから、引用発明１のビニール温室内に、引用文献３に記載される上記周知または公知の技術を適用することは、当業者が容易になし得ることである。
　また、水道水や地下水の温度は、その採水地点の水温に依存し、また、温室内をどの程度の室温とするかによって、適宜選択し得ることであるから、上記周知または公知の技術を引用発明１に適用する際に、１３℃前後の地下水ないし水道水とすることは、適宜なし得たことである。
　よって、引用発明１及び周知技術に基いて、相違点３に係る本願発明の構成とすることは、当業者が容易になし得たことである。
２　引用発明２を主引用発明として検討
（１）対比
　本願発明と引用発明２を対比する。 
　引用発明２の「ハウス」、「栽培装置」、「複数のプラスチックより成るパイプ１」、「培養水６」、「培養ユニットＡ」と「培養ユニットＢ」、「チェック槽１２」、「供給管２３」、「断熱材４」、「培養筒３」は、その構成及び機能等からみて、本願発明の「植物栽培用ハウス」、「野菜・果実の水耕栽培装置」、「樹脂パイプ」「からなる複数の循環パイプ」、「養液」、「循環路」、「養液貯留槽」、「給液管」、「断熱層」、「植付け用の孔」にそれぞれ相当する。 
　引用発明２の「ハウス内に設置される、栽培装置」は、本願発明の「植物栽培用ハウス内に設置した野菜・果実の水耕栽培装置」に相当する。
　引用発明２の「複数のプラスチックより成るパイプ１からなる培養ユニットＡ、及び培養ユニットＡを連結する単一のパイプ１からなる培養ユニットＢ」は、本願発明の「複数の循環パイプを連結して形成された養液の循環路」に相当する。
　引用発明２の「チェック槽１２に接続された配水管１８と、配水管１８に接続された吸引ポンプ１９及び水温を所定水温に保つ熱交換器２２と、熱交換器から出た排水を再び培養水６として培養ユニットＡへ還流させる供給管２３」は、本願発明の「養液貯留槽と前記循環パイプとの間に配設され、前記養液貯留槽から前記循環パイプに養液を送り込む給液管」に相当する。
　引用発明２の「各パイプ１の表面には断熱材４を被覆すると共に、」「各パイプ１上面には所定間隔をおいて一体に培養筒３を突設してパイプ１内と連通し、」「各培養筒３内には筒状の培養ネット８に根茎９を入れたわさび１０が収容されて培養される」ことは、本願発明の「前記循環パイプの周囲は断熱層で被覆するとともに、該周囲を断熱層で被覆した循環パイプからなる積層構造物の上部に適宜間隔で循環パイプ内部に通ずる植付け用の孔を開けて野菜あるいは果実の苗を植え付けるようにした」ことに相当する。
　引用発明２の「チェック槽」は、培養ユニットＡ及びＢとは、別途設置されていることは明らかである。
　よって、本願発明と引用発明２とは、
「植物栽培用ハウス内に設置した野菜・果実の水耕栽培装置であって、樹脂パイプからなる複数の循環パイプを連結して形成された養液の循環路と、別途設置された養液貯留槽と、この養液貯留槽と前記循環パイプとの間に配設され、前記養液貯留槽から前記循環パイプに養液を送り込む給液管とを備え、
前記循環パイプの周囲は断熱層で被覆するとともに、該周囲を断熱層で被覆した循環パイプからなる積層構造物の上部に適宜間隔で循環パイプ内部に通ずる植付け用の孔を開けて野菜あるいは果実の苗を植え付けるようにした野菜・果実の水耕栽培装置。」で一致するものの、以下の２点で相違している。
〔相違点Ａ〕本願発明の「循環パイプ」は、「直径が１０ｃｍ以上の樹脂パイプないし金属パイプからなる」のに対し、引用発明２の「パイプ１」は、プラスチックからなるが、その直径の特定がない点。 
〔相違点Ｂ〕本願発明は、「前記ハウス内に設置したラジエータ内を地下水ないし水道水の１３℃前後の水を循環させるとともに、ラジエータ近傍に配設したファンでラジエータの温度を吸い出すことにより室内温度を調整するようにした」のに対し、引用発明２は、そのような特定がない点。 
（２）判断 
　上記相違点Ａ及びＢについて検討する。 
　ア　相違点Ａ 
　農業用のパイプとして、樹脂製や金属製のものは、一般的に用いられているものであって、またパイプの直径は、栽培する植物の大きさ等を勘案して適宜選択し得る設計上の事項に過ぎないから、引用発明２のパイプ１を、直径が１０ｃｍ以上の樹脂製ないし金属製とすることは、当業者が適宜なし得たことである。 
　
　イ　相違点Ｂ 
　引用文献３に記載されているように、温室内の空気を冷却するために、ケーシングの前部と後部にファンとラジエータを収容した冷却装置を設け、ラジエータを流通して冷却された空気をファンで吐出すること、つまり相違点Ｂにおける「前記ハウス内に設置したラジエータ内を水を循環させるとともに、ラジエータ近傍に配設したファンでラジエータの温度を吸い出すことにより室内温度を調整するようにした」ことは、本願出願前に周知又は公知の技術であって、また、温室内の空気を冷却する際に、引用文献３には、水道水を用いること、引用文献４には、地下水を用いることがそれぞれ記載されている。 
　そして、栽培する植物に適する温度を考慮して、温室内の室温を適温に維持することは、温室設置者が常に配慮すべき事項であるから、引用発明２のハウス内に、引用文献３に記載される上記周知または公知の技術を適用することは、当業者が容易になし得ることである。
　また、水道水や地下水の温度は、その採水地点の水温に依存し、また、温室内をどの程度の室温とするかによって、適宜選択し得ることであるから、上記周知または公知の技術を引用発明２に適用する際に、１３℃前後の地下水ないし水道水とすることは、適宜なし得たことである。
　よって、引用発明２及び周知技術に基いて、相違点３に係る本願発明の構成とすることは、当業者が容易になし得たことである。
３　請求人の主張について
　平成３１年４月１８日付け意見書における請求人の主張について検討する。
（１）まず、請求人は、
「引用発明１の「育成ポット差込口（６）」が「植付け用の孔」に該当する都のご認定は全くの誤りといわざるを得ません。なぜなら、「育成ポット差込口（６）」には「育成ポット（９）」がはめ込まれるのであって、「育成ポット（９）」の取付けが必須である「育成ポット差込口（６）」を単独で野菜あるいは果実の苗を植え付けるようにした「植付け用の孔」と比定することはあってはならないことであると思量します。
　また、引用発明２の「培養筒３」はその構成及び機能等からみて、本願発明の請求項１の「植付け用の孔」に相当するとのご認定にも、到底承服することができません。なぜなら、前記「培養筒３」内には「培養ネット８」が保持されているのであって、引用発明２の「培養筒３」は、単独で野菜あるいは果実の苗を植え付けるようにした「植付け用の孔」に相当するとのご認定には到底承服することができません。」と主張している。
　しかしながら、本願発明において、「積層構造物の上部に適宜間隔で循環パイプ内部に通ずる植付け用の孔を開けて野菜あるいは果実の苗を植え付けるようにした」と特定されているように、「植付け用孔」は、循環パイプ内部に通じ、野菜あるいは果実の苗を植え付けることができればよいものであって、野菜あるいは果実の苗をどの様な態様で植え付けるのかの限定はなされていないので、請求人が主張するように、野菜あるいは果実の苗を単独で植え付ける態様の孔であるとの限定的なものと解することはできない。
　また、発明の詳細な説明をみても、「植付け用孔」は、野菜あるいは果実の苗を単独で植え付ける態様の孔と限定的に解するような記載はなく、特に、段落【００２７】には、「図３はこの実施例の野菜・果実の水耕栽培装置１１における前記スリット付きの可撓性のあるシートないしマット１８を示すものであり、その中心位置から放射状に複数のスリット１９が配設してある。２０は外周に形成した段差であり、前記植付け用の植付け孔１７の周面に落とし込んで保持するようになっている。育成時には植え付けた野菜や果実の根が太って簡単に外れることはないが、必要に応じて接着剤等の脱落防止手段を採用してもよい。植え付けた野菜や果実の根が太っても、この可撓性のあるシートないしマット１８のスリット１９が開閉することによって無理なく対応させることができるのである。」と記載されているように、その外周に形成した段差２０を、植付け用の植付け孔１７の周面に落とし込んで保持される、スリット付きの可撓性のあるシートないしマット１８を介して苗を植え付けることも、本願発明の実施例として示されていることから、発明の詳細な説明の記載を参酌しても、本願発明の「植付け用孔」は、苗を単独で植え付ける態様の孔とは解することはできず、請求人に主張は採用することができない。
（２）次に、
「Ｂ）また前記循環パイプの周囲は断熱層で被覆するとともに、該積層構造物の上部に適宜間隔で植付け用の植付け孔を開け、該植付け孔に取り付けたスリット付きの可撓性のあるシートないしマットに野菜あるいは果実の苗を植え付けるようにしたものであり、例えばイチゴであれば冬季に植物栽培用ハウスなしの屋外でも栽培することができ、また根が太っても可撓性のあるシートないしマットのスリットによって簡単に対応することができる。
という非常に顕著な作用効果を奏するものであります。」とも主張している。
　しかしながら、本願発明の「植付け用の孔」は、「スリット付きの可撓性のシートあるいはマット１８に野菜あるいは果実の苗を植え付ける」との構成を備えていないので、請求人が主張する「根が太っても可撓性のあるシートないしマットのスリットによって簡単に対応することができる」との作用効果は、本願発明の構成に基づくものではないから、請求人の主張は採用できない。
　なお、該シートあるいはマット１８に関して、平成３１年４月１８日付け手続補正書により特許請求の範囲の請求項６は、「前記断熱層が、スリット付きの可撓性のあるシートないしマットであり、かつスリットが中心位置から放射状に切り込まれてなる請求項１ないし５のいずれかに記載の野菜・果実の水耕栽培装置。」と補正された。
　しかしながら、断熱層が、可撓性のシートないしマットであること、かつスリットが、（断熱層である）該可撓性のシートないしマットに設けられていることは、出願当初の明細書、特許請求の範囲または図面には記載されておらず、示唆する記載もないことから、補正後の「前記断熱層が、スリット付きの可撓性のあるシートないしマット」は、新規事項の追加にあたることを付言しておく。
４　当審の判断のまとめ　
　以上のとおりであるから、本願発明は、引用発明１または引用発明２、及び周知技術に基いて、当業者が容易に発明をすることができたものである。
第７　むすび
　以上のとおり、本願発明は、本願出願前に頒布された引用文献１ないし４に記載された発明及び周知技術に基いて、当業者が容易に発明をすることができたものであるから、特許法第２９条第２項の規定により特許を受けることができず、その他の請求項に係る発明を検討するまでもなく、本願は拒絶すべきものである。
　よって、結論のとおり審決する。